【手続補正書】
【提出日】平成16年9月6日(2004.9.6)
【手続補正１】
【補正対象書類名】明細書
【補正対象項目名】全文
【補正方法】変更
【補正の内容】
【書類名】  明細書
【発明の名称】  電気掃除機用延長管及びそれを用いた電気掃除機
【特許請求の範囲】
【請求項１】  一端が、ホ−スの先端に設けられ尾錠を有する先端パイプに接続され、他端が床ノズルなどに接続される電気掃除機用延長管であって、前記延長管はブロ一成形法により形成され、端部が前記先端パイプに内嵌合し、前記尾錠に係止する係止部と、他端には床ノズルなどに設けた係止部を外嵌合するパイプと、前記床ノズルなどに設けた係止部に係止する尾錠と前記尾錠を保持するカバ一体を有する電気掃除機用延長管。
【請求項２】  前記力バ一体は、パイプの床ノズル嵌合側より挿入し嵌合する筒状のリング部を設けた請求項１記載の電気掃除機用延長管。
【請求項３】  前記床ノズルなどに設けた係止部に係止する尾錠は、ばね付勢され、前記力バ一体にばねの一端の受け座形状を設けた請求項１または２記載の電気掃除機用延長管。
【請求項４】  前記床ノズルなどに設けた係止部に係止する尾錠の爪を回避する開口部と、開口部両側に引っ掛け形状をパイプに設け、前記力バ一体にパイプの引っ掛け形状を係止するリブ形状を設けた請求項１〜３のいずれか１項に記載の電気掃除機用延長管。
【請求項５】  床ノズルなどのパイプとの接続部がテ一パ形状のものを、圧入により嵌合保持する凸形状をパイプの内径面に設けた請求項１〜４のいずれか１項に記載の電気掃除機用延長管。
【請求項６】  掃除機本体と前記掃除機本体に連通される請求項１〜５のいずれか１項に記載の電気掃除機用延長管とを具備したことを特徴とする電気掃除機。
【発明の詳細な説明】
【０００１】
【発明の属する技術分野】
本発明は、電気掃除機用延長管及びそれを用いた電気掃除機に関するものである。
【０００２】
【従来の技術】
従来の電気掃除機の延長管を、図９〜図１３を用いて説明する。
【０００３】
一端が掃除機本体１に接続されたホ一ス２の他端に先端パイプ３を設け、前記先端パイプ３は、ブロ一成形で形成された第一パイプ１０と第二パイプ１１などから成る延長管４を介して床ノズル５に接続されている。また先端パイプ３のパイプ２３とパイプカバ一２５にて軸１８で回動自在に保持され、コイルバネ１７により付勢された尾錠６を内設している。延長管４は、一端８を先端パイプ３の先端部７の内径１９に内嵌合し、前記尾錠６の爪２０に係合する凹部９を設けた第一パイプ１０と、この第一パイプ１０の他端より内挿入され軸線方向に伸縮移動する第二パイプ１１と、前記第一パイプ１０の端部に回動自在にネジ嵌合された回転リング１２と前記回転リング１２内に配設され、第二パイプ１１の係止状態を保つシメワ１３で構成されている。前記第一パイプ１０の先端パイプ３側にパイプ２３とパイプカバ一２５の端部形状と同一端部形状を有する筒状リング１４を挿入している。前記筒状リング１４は、第一パイプ１０に設けたリブＡ１５及び筒状リング１４に設けたリブＢ１６にて挿入後の抜け防止をしている。第二パイプ１１の床ノズル５側は内径がテ一パ形状に形成した先端部２２を有し、床ノズル５の床ノズルパイプ２１を圧入して接続保持している。
【０００４】
【発明が解決しようとする課題】
第二パイプ１１と床ノズル５の床ノズルパイプ２１の嵌合構成部に、前記の先端パイプ３と第一パイプ１０と同じ尾錠嵌合の接続構成を形成することによって、第二パイプ１１と床ノズル５の着脱使用性は良好になるが、インジェクション成形に対して比較的金型が安価なブロ一成形法による成形品は均等肉厚の形状となるため、尾錠嵌合構成などのように尾錠を保持固定する第二パイプ１１の外形側と床ノズルパイプ２１を接続嵌合する内径側の寸法を同時に確保することが困難であったためテ−パ−嵌合構成が用いられていた。
【０００５】
また尾錠嵌合の接続構成を形成するものとしてはインジェクション成形品が用いられていた。これらの従来の構成により以下のような課題を有していた。
【０００６】
床ノズルパイプ２１を延長管４の第二パイプ１１の先端部２２に強く差し込むと離脱できなくなったり、また嵌合力が緩いと使用中に離脱してしまうなど使用勝手が悪いものである。また他のスキマノズル（図示せず）などのアタッチメントを使用するものにおいても、アタッチメントと延長管との嵌合部において同様の課題を有している。さらにインジェクション成形によるものは以下の用な課題を有していた。
【０００７】
一方、インジェクション成形で第二パイプ１１を形成するためには、内径通路部を形成するために金型の油圧で可動するスライドコア−が必要になり、金型費用の増大によりコスト高になるとともに、内径通路部のスライドコア−を離型するための抜き勾配が必要となるため内径通路の断面積が減少することにより、吸い込み性能の低下につながるものである。
【０００８】
本発明は以上のような従来の課題を解決するものであり、延長管において、使用性の改善と吸い込み性能の確保と、さらに安価な商品の提供を目的としている。
【０００９】
【課題を解決するための手段】
上記目的を達成するために本発明は、ブロ一成形法により形成され、端部がホ一スの尾錠を有する先端パイプに内嵌合し前記尾錠に係止する係止部と、他端には床ノズルなどに設けた係止部を外嵌合するパイプと、前記床ノズルなどに設けた係止部に係止する尾錠と前記尾錠を保持する力バ一体を設け、床ノズルの接続保持が確実で、かつ着脱が容易で使用性の良好な電気掃除機用延長管及びそれを用いた電気掃除機を提供するものである。
【００１０】
【発明の実施の形態】
本発明の請求項１記載の発明は、一端が、ホ一スの先端に設けられ尾錠を有する先端パイプに接続され、他端が床ノズルなどに接続される電気掃除機用延長管であって、前記延長管は、ブロ一成形法により形成され、端部が前記先端パイプに内嵌合し、前記尾錠に係止する係止部と、他端には床ノズルなどに設けた係止部を外嵌合するパイプと、前記床ノズルなどに設けた係止部に係止する尾錠と前記尾錠を保持する力バ一体を設けたことにより床ノズルの接続保持が確実で、かつ着脱が容易で使用性の良好な安価な延長管が提供できる。
【００１１】
本発明の請求項２記載の発明は、前記力バ一体はパイプの床ノズル嵌合側より挿入嵌合する筒状リング部を設けることにより力バ一体の保持固定を堅牢化するとともに外形形状のデザイン性を良好にすることができる。
【００１２】
本発明の請求項３記載の発明は、前記床ノズルなどに設けた係止部に係止する尾錠はばね付勢され、前記力バ一体にばねの一端の受け座形状を設けることにより力バ一体に尾錠とばねを固定した上でパイプに取り付けができるため、組み立てが容易となり、生産性が向上し安価にすることができる。
【００１３】
本発明の請求項４記載の発明は、前記床ノズルなどに設けた係止部に係止する尾錠の爪を回避する開口部と開口部両側に引っ掛け形状をパイプに設け、前記力バ一体にパイプの引っ掛け形状を係止するリブ形状を設けることにより尾錠をセットした力バ一体をパイプの床ノズル接続側の端部から挿入する際に尾錠の爪がパイプの端部に引っ掛かることがなく容易に組み立てができるとともに、前記開口部の強度を向上することができる。
【００１４】
本発明の請求項５記載の発明は、床ノズルなどのパイプとの接続部がテ一パ形状のものを圧入により嵌合保持する凸形状をパイプの内径面に設けることにより前記接続部がテ−パ形状の床ノズルなども接続、使用を容易にすることができる。
【００１５】
本発明の請求項６記載の発明は、掃除機本体と前記掃除機本体に連通される請求項１〜５のいずれか１項に記載の電気掃除機用延長管とを具備したものである。
【００１６】
【実施例】
（実施例１）
以下、本発明の第１の実施例を図１〜図２を用いて説明する。なお従来例と同一部分については同一符号を用いてその説明を省略する。
【００１７】
延長管１０８はブロ一成形法により形成した第一パイプ１１０と、この第一パイプ１１０の反ホ−ス２側より内挿入され軸線方向に伸縮移動する同じくブロ一成形法により形成した第二パイプ１１１と、前記第一パイプ１１０の端部に回動自在にネジ嵌合された回転リング１１２などで構成されている。前記第二パイプ１１１の床ノズル１０７側は、軸１１９で回動自在にかつコイルバネ１１８でバネ付勢されている爪１２０を有する尾錠１１７を、カバ一１１５で保持固定し、第二パイプ１１１に設けた開口穴１２７から爪１２０を内径に突出させて、内嵌合する床ノズルパイプ１０６の凹部１２１に係止している。カバ一１１５はねじ１１６によって第二パイプ１１１に固定されている。また第二パイプ１１１の先端１３１を内径側に絞りこむことによって、嵌合のがたつきを防止するものである。ブロ−成形法によって第二パイプ１１１を形成する場合、第二パイプ１１１の外形側の金型と成形機から金型内へ挿入する筒状の樹脂材料の肉厚調整によって内径側の寸法が決まるが、肉厚のばらつきが大きいため部分的に第二パイプ１１１の内径寸法を押さえ込むものである。
【００１８】
上記構成による作用は以下の通りである。
【００１９】
尾錠１１７の爪１２０を、内嵌合する床ノズルパイプ１０６の凹部１２１に係止することによって床ノズルパイプ１０６の接続保持が確実で、また尾錠１１７を押さえることによって容易に床ノズルパイプ１０６離脱でき、使用性が良好であるとともに、第二パイプ１１１をブロ−成形で形成すれば内径側の金型のスライドコア−などが不要であり、インジェクション成形で形成する場合に比べ安価な延長管が提供できるものである。
【００２０】
（実施例２）
次に本発明の第２の実施例を、図３を用いて説明する。なお、上記実施例と同一構成部品には同一符号を付し、その説明を省略する。
【００２１】
力バ一１１５に第二パイプ１１１の床ノズルパイプ１０６嵌合側より挿入嵌合する筒状リング部１２３を設けるものである。
【００２２】
上記構成による作用は以下の通りである。
【００２３】
カバ−１１５の筒状リング部１２３を第二パイプ１１１の床ノズルパイプ１０６嵌合側外周に嵌合させて、カバ−１１５の反床ノズルパイプ１０６側はねじ１１６で固定することによって尾錠１１７の保持固定が堅牢化でき、また外形形状のデザイン性を良好にすることができる。
【００２４】
（実施例３）
次に本発明の第３の実施例を、図４及び図５を用いて説明する。なお、上記実施例と同一構成部品には同一符号を付し、その説明を省略する。
【００２５】
力バ−１１５にコイルバネ１１８の一端の受け座１２４を設けるものである。
【００２６】
上記構成による作用は以下の通りである。
【００２７】
カバ−１１５に尾錠１１７とコイルバネ１１８を仮固定した上で第二パイプ１１１に挿入嵌合させて取り付けができるため、組み立てが容易となり、生産性が向上し安価にすることができる。
【００２８】
（実施例４）
次に本発明の第４の実施例を図６及び図７を用いて説明する。なお、上記実施例と同一構成部品には同一符号を付し、その説明を省略する。
【００２９】
第二パイプ１１１の先端１２６に開口部１３２と、開口部１３２の両側に引っ掛け部１２８を設け、カバ−１１５には引っ掛け部１２８に係止するリブ１２９を設けるものである。
【００３０】
上記構成による作用は以下の通りである。
【００３１】
尾錠１１７をセットしたカバ−１１５を第二パイプ１１１の先端１２６に挿入する際に、尾錠１１７の爪１２０が第二パイプ１１１の先端１２６に引っ掛かることがないので容易組み立てができるとともに、前記開口部１３２の両側のたわみや変形を防止し、強度を向上することができる。
【００３２】
（実施例５）
次に本発明の第５の実施例を図８を用いて説明する。なお、上記実施例と同一構成部品には同一符号を付し、その説明を省略する。
【００３３】
第二パイプ１１１の内面に床ノズルなどに設けたテ−パ−形状の接続部を圧入した際に、それを嵌合保持する凸部１３０を複数設けるものである。
【００３４】
上記構成による作用は以下の通りである。
【００３５】
接続部がテ一パ−形状の床ノズルなどを挿入した際、複数設けた凸形状１３０の内面に床ノズルなどのテ−パ−形状の接続部が圧入されることによって保持され、接続、使用を可能にすることができるものである。
【００３６】
【発明の効果】
本発明の請求項１記載の発明によれば、第二パイプの床ノズル側に軸で回動自在にかつコイルバネでバネ付勢されている爪を有する尾錠を力バ一で保持固定し、開口穴から爪を内径に突出させて、内嵌合する床ノズルパイプの凹部に係止し、また第二パイプの先端を内径側に絞りこむことによって床ノズルパイプの接続保持が確実で、かつ着脱が容易で使用性の良好であるとともに、第二パイプをブロ一成形で形成するため内径側の金型が不要であり、インジェクション成形に比べ安価な延長管が提供できるとともに嵌合のがたつきを防止するものである。
【００３７】
本発明の請求項２記載の発明によれば、力バ一は第二パイプの床ノズルパイプ嵌合側より挿入嵌合する筒状リング部を設けることにより力バ一の第二パイプへの保持固定が堅牢化するとともに外形形状のデザイン性を良好にすることができるものである。
【００３８】
本発明の請求項３記載の発明によれば、力バ一にコイルバネの一端の受け座を設けることにより力バ一に尾錠とコイルバネを仮固定した上で第二パイプに挿入嵌合させて取り付けができるため、組み立てが容易となり、生産性が向上し安価にすることができる。
【００３９】
本発明の請求項４記載の発明によれば、第二パイプの先端に開口部と開口部の両側に引っ掛け部を設け、力バ一には引っ掛け部を係止するリブ設けることにより、尾錠をセットした力バ一を第二パイプの先端に挿入する際に、尾錠の爪が第二パイプの先端に引っ掛かることがなく容易に組み立てができるとともに、前記開ロ部の両側のたわみや変形を防止し、強度を向上することができる。
【００４０】
本発明の請求項５記載の発明によれば、第二パイプに床ノズルなどとの接続部がテ一パ−形状のものを圧入により嵌合保持する凸部を複数設けることにより、接続部がテ一パ−形状の床ノズルなどを挿入した場合に凸形状と圧入され接続使用を可能にすることができるものである。
【００４１】
本発明の請求項６記載の発明によれば、掃除機本体と前記掃除機本体に連通される請求項１〜５のいずれか１項に記載の電気掃除機用延長管とを備えるため、上記効果を奏する電気掃除機を提供できるものである。
【図面の簡単な説明】
【図１】
本発明の第１の実施例を示す電気掃除機の概略図
【図２】
同電気掃除機の延長管の要部断面図
【図３】
（ａ）本発明の第２の実施例を示す延長管の要部断面図
（ｂ）同電気掃除機の延長管のＸ矢視図
【図４】
本発明の第３の実施例を示す延長管の要部断面図
【図５】
同電気掃除機の延長管の部品の裏面図
【図６】
本発明の第４の実施例を示す延長管の外観分解斜視図
【図７】
同電気掃除機の延長管の要部外観図
【図８】
（ａ）本発明の第５の実施例を示す延長管の要部断面図
（ｂ）同電気掃除機の延長管のＹ−Ｙ断面図
【図９】
従来の電気掃除機の概略図
【図１０】
同電気掃除機の延長管の要部外観斜視図
【図１１】
同電気掃除機の延長管の要部断面図
【図１２】
同電気掃除機の延長管の要部拡大断面図
【図１３】
同電気掃除機の延長管と床ノズルの外観斜視図
【符号の説明】
３  先端パイプ
１０６  床ノズルパイプ
１０８  延長管
１２１  凹部
１１０  第一パイプ
１１１  第二パイプ
１１２  回転リング
１１５  カバ−
１１７  尾錠
１１８  コイルバネ